(57)【要約】【課題】小型、低コストで汎用性に優れたプリント配線基板、それを用いる撮像装置を提供する。【解決手段】ＰＷＢ２には、２種類のレンズユニットのＦＰＣがそれぞれ接続されるＦＰＣコネクタ４Ａ，４Ｂが設けられている。太い実線はＦＰＣコネクタ４Ａ、４Ｂの外形を示す。また、各コネクタの各ピンを接続する最上層パターン６、内層パターン７、検査用の共用ＦＴパット８、スルーホール９が設けられている。また、二点鎖線で囲まれた領域は、ＦＰＣコネクタ４Ａ，４Ｂの外形、各パターンの引き回し及び共用ＦＴパット８を含むＰＷＢ２の必要領域２ａとする。上記構成によれば、ＰＷＢ２に、ＦＰＣコネクタ４Ａ、ＦＰＣコネクタ４Ｂが搭載可能な複数のコネクタランドを設けたので、１つのＰＷＢ２で複数種類のレンズユニット１Ａ，１Ｂに対応することができる。【選択図】図１
2006295115.tif 000002
【特許請求の範囲】
【請求項１】
それぞれ異なるフレキシブル基板を備え共通のドライバにて駆動される複数の電子部品のいずれかを排他的に実装可能とするために、前記フレキシブル基板を接続するためのＦＰＣコネクタ実装用の配線パターンが実質的に前記電子部品の種類と同数に分岐させられており、前記各ＦＰＣコネクタ実装用の配線パターンの末端部分には、前記ＦＰＣコネクタを搭載するためのコネクタランドがそれぞれ設けられたことを特徴とするプリント配線基板。
【請求項２】
任意のコネクタランドにＦＰＣコネクタを搭載した場合に用いる検査用ランドの少なくとも一部が、他のＦＰＣコネクタを搭載するための領域又は、前記任意のＦＰＣコネクタにフレキシブル基板を接続した場合に該フレキシブル基板によって覆われる領域に設けられたことを特徴とする請求項１記載のプリント配線基板。
【請求項３】
実装されるＦＰＣコネクタの開口方向が同方向となるように一方の面に２以上のコネクタランドが設けられ、これらのコネクタランドの少なくとも一つは、これに搭載されたＦＰＣコネクタにフレキシブル基板が接続された場合に該フレキシブル基板が他のコネクタランドの少なくとも一部を覆うことように配置されていることを特徴とする請求項１又は２記載のプリント配線基板。
【請求項４】
一方の面に設けられた２以上の前記コネクタランドは、ＦＰＣコネクタが搭載された場合にそのＦＰＣコネクタが占有する領域が一部重複するように配置されていることを特徴とする請求項３記載のプリント配線基板。
【請求項５】
搭載されるＦＰＣコネクタの開口方向が同方向となるように両面に少なくとも一つずつのコネクタランドが設けられ、一方の面に設けられたコネクタランドのうちの少なくとも一つは、これにＦＰＣコネクタが搭載された場合に該ＦＰＣコネクタが占有する領域の裏に、他方の面に設けられたコネクタランドにＦＰＣコネクタが搭載された場合に該コネクタが占有する領域の少なくとも一部が含まれるように配置されていることを特徴とする請求項１から４のいずれか１項記載のプリント配線基板。
【請求項６】
異なるドライバにて駆動される２以上の電子部品をそれぞれ実装するために、各ドライバごとに複数の前記コネクタランドを備えることを特徴とする請求項１から５のいずれか１項記載のプリント配線基板。
【請求項７】
請求項１から６のいずれか１項記載のプリント配線板を用いたプリント基板であって、前記共通のドライバにて駆動される電子部品を実装するための前記ＦＰＣコネクタは、前記複数のコネクタランドのうち、いずれか一つのみに搭載されたことを特徴とするプリント基板。
【請求項８】
請求項７記載のプリント基板を用いた撮像装置であって、前記ＦＰＣコネクタを介して実装される電子部品は、鏡胴と光学素子と前記鏡胴内における前記光学素子の位置を変化させるモータとを備えたレンズユニットであることを特徴とする撮像装置。
【発明の詳細な説明】
【技術分野】
【０００１】
本発明は、プリント配線基板及びこのプリント配線基板を用いたプリント基板並びに撮像装置に関するものである。
【背景技術】
【０００２】
近年、デジタルスチルカメラにおいては、一度に多くの機種を発売することが多くなってきている。また、電気回路の基本的なアーキテクチャーを極力変更することなく、撮像レンズの仕様（例えば、焦点距離、ズーム倍率、Ｆナンバー、絞り段数など）や撮像素子の画素数、ＬＣＤのインチサイズ、画素数、或いは画像の記録メディアの種類などを変更し、新機種として発売するということも多々ある。そのようなとき、従来は新機種を開発するたびに、その機種向けの基板を作成しなければならなかった。それには、設計が全く異なる機種を開発するのとほとんど同等の労力が必要とされる。この問題を解消するには、複数の撮像素子や記録メディア、レンズユニットに対応できる基板（電子部品やモジュールなどの搭載の仕方によって、複数種のプリント基板（回路基板、いわゆるＰＣＢ）のいずれかとすることのできるプリント配線基板）を作れば良いことは明白だが、安易に汎用性の高い基板を作ると、基板の大型化を招いてしまう。これは、近年特に要求の強い、撮像装置の小型化の要求に対し逆行してしまうことになる。
【０００３】
最近では、複数の撮像素子やＬＣＤに対応できるドライバＩＣや、複数の記録メディアに対応できる基板（例えば、特許文献１参照）のような実用化ためのアイディアや、実際実用化されたものなどが存在する。尚、特許文献１では、電子カメラ本体１の内部レイアウトとして、メイン基板上に主メモリカード用の第１のカードスロットと、アクセサリ用の第２のカードスロットとを表裏の配置関係で実装し、各カードスロットを、カメラ本体の前面側とほぼ平行になるように配置することにより、携帯性を損うことなく、補助機能又は拡張機能を選択的に追加できるようにした電子カメラ装置が提案されている。
【特許文献１】特開２００１−３１３８５８号公報
【発明の開示】
【発明が解決しようとする課題】
【０００４】
しかしながら、複数のレンズユニットに対応できる基板という観点でのアイディアは発明されていなかった。通常、レンズユニットには、レンズ群やシャッタ、絞り等を駆動するためのアクチュエータと接続される信号線や、レンズ群の位置を検出するための信号線などが、レンズユニットの背面や側面、或いはレンズユニットの中にまでフレキシブルプリント配線基板(flexible printed circuit 以下ＦＰＣ)を用いて這い回されている。これらの信号線は、これらの信号を入出力するためのドライバやＣＰＵなどが搭載されている基板に、ＦＰＣ用コネクタを介して接続されるが、一つの基板で複数のレンズユニットに対応させようとする場合、以下の点が問題になることが多い。
【０００５】
アクチュエータ、位置検出素子のレイアウトはレンズユニットによってそれぞれ異なることが多いため、レンズユニットから引き出される信号線の順番はまちまちである。もちろん多層タイプのＦＰＣを用いれば信号の順番を入れ替えることもできるが、ＦＰＣのコストが高くなるのはもちろんのこと、厚みが増すことで屈曲性が悪くなり、思うようにレンズユニット周りに這い回すことができないなどの問題があった。
【０００６】
また、基板上には一つのコネクタだけを配置し、そのコネクタへの信号ラインを入れ替えられるように、入れ替える信号線の倍に相当する数のジャンパチップ用のランドを設け、使用するレンズユニットによって搭載するジャンパチップを変更するようにすることも考えられる。しかし、ズーム機能や、絞り、シャッタ機能を持つレンズユニットでは、前述のコネクタは少なく見積もっても１０本程度の本数の信号線が必要であり、且つアクチュエータ用の出力線には、100mA前後の電流が流れる。よって、レンズユニットの最低作動電圧をなるべく低くするために、このラインでの電圧ドロップを極力抑え、モータにかかる電圧値を確保するためには、他の信号線などと比べてある程度太い信号ラインが必要となり、入れ替えのためのスペースが膨大になってしまうという問題があった。
【０００７】
また、基板を製品に組み込む前には、基板単品での所謂ファンクションテスト（以下ＦＴ）が行われることが多い。このテストは、部品を実装された基板が、カメラに組み込まれた状態を想定して行われるが、前述のコネクタ類に実際にＦＰＣ等を挿入してテストしていたのでは効率が悪い。そこで、通常は基板上にＦＴパットと呼ばれるＦＴ専用のランドを設け、そこに探針をあてることで検査するために必要な信号を得るようにしている。ここで、上述の話に戻り、仮に複数のレンズユニット用のコネクタを実装できたとしても、さらにＦＴパットを設けるとなると、さらに膨大なスペースが必要になってしまっていた。
本発明は以上のような点に鑑み、小型で低コスト、且つ汎用性に優れた、プリント配線基板、プリント基板及びそれを搭載した撮像装置を提供することを課題とする。
【課題を解決するための手段】
【０００８】
上記目的を達成するため、本発明は、第１の態様として、それぞれ異なるフレキシブル基板を備え共通のドライバにて駆動される複数の電子部品のいずれかを排他的に実装可能とするために、フレキシブル基板を接続するためのＦＰＣコネクタ実装用の配線パターンが実質的に電子部品の種類と同数に分岐させられており、各ＦＰＣコネクタ実装用の配線パターンの末端部分には、ＦＰＣコネクタを搭載するためのコネクタランドがそれぞれ設けられたことを特徴とするプリント配線基板を提供するものである。このようにすれば、複数の電子部品に対応（共用）できるプリント配線基板を実現できるので、製品開発のコスト、新機種開発の期間を短縮することができる。
【０００９】
上記本発明の第１の態様においては、任意のコネクタランドにＦＰＣコネクタを搭載した場合に用いる検査用ランドの少なくとも一部が、他のＦＰＣコネクタを搭載するための領域又は、任意のＦＰＣコネクタにフレキシブル基板を接続した場合に該フレキシブル基板によって覆われる領域に設けられることが好ましい。このようにすれば、撮像装置組立前に、基板単品で検査を必要とされる場合であっても、汎用性の高い基板を小型に作成することが可能になる。
【００１０】
本発明の第１の態様の上記のいずれの構成においても、実装されるＦＰＣコネクタの開口方向が同方向となるように一方の面に２以上のコネクタランドが設けられ、これらのコネクタランドの少なくとも一つは、これに搭載されたＦＰＣコネクタにフレキシブル基板が接続された場合に該フレキシブル基板が他のコネクタランドの少なくとも一部を覆うことように配置されていることが好ましく、これに加えて、一方の面に設けられた２以上のコネクタランドは、ＦＰＣコネクタが搭載された場合にそのＦＰＣコネクタが占有する領域が一部重複するように配置されていることがより好ましい。このようにすれば、プリント配線基板をさらに小型に設計することができる。特にコネクタがレイアウトされる裏面にコネクタをレイアウトすることのできない場合に有効である。
【００１１】
本発明の第１の態様の上記のいずれの構成においても、搭載されるＦＰＣコネクタの開口方向が同方向となるように両面に少なくとも一つずつのコネクタランドが設けられ、一方の面に設けられたコネクタランドのうちの少なくとも一つは、これにＦＰＣコネクタが搭載された場合に該ＦＰＣコネクタが占有する領域の裏に、他方の面に設けられたコネクタランドにＦＰＣコネクタが搭載された場合に該コネクタが占有する領域の少なくとも一部が含まれるように配置されていることが好ましい。このようにすれば、表裏面にコネクタをレイアウトできる場合に限って、汎用性の高い基板を特に小型に作成することが可能になる。
【００１２】
また、本発明の第１の態様の上記のいずれの構成においても、異なるドライバにて駆動される２以上の電子部品をそれぞれ実装するために、各ドライバごとに複数のコネクタランドを備えることが好ましい。
【００１３】
また、上記目的を達成するため、本発明は、第２の態様として、上記本発明の第１の態様のいずれかの構成にかかるプリント配線板を用いたプリント基板であって、共通のドライバにて駆動される電子部品を実装するためのＦＰＣコネクタは、複数のコネクタランドのうち、いずれか一つのみに搭載されたことを特徴とするプリント基板を提供するものである。
【００１４】
また、上記目的を達成するため、本発明は、第３の態様として、上記本発明の第２の態様にかかるプリント基板を用いた撮像装置であって、ＦＰＣコネクタを介して実装される電子部品は、鏡胴と光学素子と鏡胴内における光学素子の位置を変化させるモータとを備えたレンズユニットであることを特徴とする撮像装置を提供するものである。このようにすれば、レンズユニットの異なる複数機種を短期間に開発でき、かつそれぞれのプリント配線基板を用いる撮像装置を小型化することができる。
【発明の効果】
【００１５】
本発明によれば、小型で低コスト、且つ汎用性に優れた、プリント配線基板、プリント基板及びそれを搭載した撮像装置を提供できる。
【発明を実施するための最良の形態】
【００１６】
〔発明の原理〕
共通の回路及びドライバにて駆動されうる電子部品であっても、それが備えるＦＰＣの信号線の並びが異なっていれば、プリント基板（プリント配線板に電子部品やモジュールなどを実装したもの、いわゆる回路基板（ＰＣＢ））に実装するためのＦＰＣコネクタを共用することはできない。よって、本発明は、共通のドライバにて駆動されうる複数の電子部品のいずれもが同一配線パターンのプリント配線板に実装できるようにするために、ＦＰＣの信号線の並びの数に応じただけのＦＰＣコネクタをプリント配線板に実装可能とする。換言すると、本発明にかかるプリント配線板は、ＦＰＣの信号線の並びの数に応じただけのコネクタランドを備える。
【００１７】
例えば、図１に示すように、共通のドライバにて駆動されうる電子部品がｎ種類あり、ＦＰＣの信号線の並びがそれぞれ異なっている場合には、プリント配線板にｎ種類のＦＰＣコネクタを実装できるようにする。換言すると、プリント配線板がコネクタランドをｎ個備えるようにする。
【００１８】
すなわち、ＰＷＢの配線パターンを実質的にｎ本に分岐させ（配線パターンの途中にコネクタランドが設けられており一方の分岐先の配線長が０となる場合も含む）、ＰＷＢ内で配線の並びを入れ替えることにより、ｎ個のコネクタランドの中のうちＦＰＣの配線の並びに応じたものにＦＰＣコネクタを実装できるようにしている。
【００１９】
また、２以上のドライバが実装されるプリント配線板であるならば、各々のドライバについて、それによって駆動されうる電子部品のＦＰＣの信号線の並びの数だけＦＰＣコネクタを実装可能としても良い。
例えば、図２に示すように、ドライバＡにて駆動されうる電子部品Ａがｎ種類、ドライバＢにて駆動されうる電子部品Ｂがｍ種類あり、電子部品Ａ、ＢのいずれもＦＰＣの信号線の並びが各々異なっている場合には、プリント配線基板には電子部品Ａ用のＦＰＣコネクタをｎ種類、電子部品Ｂ用のＦＰＣコネクタをｍ種類実装できるようにする。すなわち、プリント配線基板は、電子部品Ａ用のコネクタランドをｎ個、電子部品Ｂ用のコネクタランドをｍ個備える。
【００２０】
具体例として、共通のドライバにて駆動されうる電子部品がレンズユニットである場合を考える。
【００２１】
図３に、撮像装置の中身をいくつかのユニットに分け、その一つであるレンズユニットをプリント配線基板に接続する状況を示す。
図３において、２種類のレンズユニット１Ａ又は１Ｂのいずれか（図では１Ａ）を、共通の撮像装置用のプリント配線基板［以下、ＰＷＢ（printed wiring board ）という］２に接続しようとしている。レンズユニット１Ａ（又は１Ｂ）には、ＦＰＣ３が取り付けられている。一方、ＰＷＢ２にはＦＰＣ３を接続するためのＦＰＣコネクタ４Ａ又は４Ｂ（図では４Ａ）が設けられている。尚、５はＰＷＢ２に搭載された画処理用ＬＳＩである。
【００２２】
このように、二種類のＦＰＣコネクタ４Ａ及び４Ｂのいずれかを実装でき、レンズユニット１Ａ、１Ｂで回路を共用できるようにＰＷＢ２の配線パターンを形成すれば、レンズユニット１Ａ及び１Ｂのいずれを用いる場合でもＰＷＢ２で対応できることとなる。
【００２３】
また、ＣＣＤユニット６についても２種類（６Ａ、６Ｂ）のいずれにも対応できるようにするのであれば、図４に示すように、ＣＣＤユニット６のＦＰＣ１１を接続するためのＦＰＣコネクタ１２を２種類（１２Ａ、１２Ｂ）実装できるようにすればよい。
【００２４】
以下、共通のドライバにて駆動されうる電子部品がレンズユニットである場合を例として、複数のＦＰＣコネクタのいずれかを実装可能なＰＷＢの構成について説明する。
【００２５】
〔第１の実施形態〕
本発明を好適に実施した第１の実施形態について説明する。
図５は本発明の第１の実施形態によるＰＷＢ２のコネクタ４付近の構成を示す平面図であり、図３と対応する部分には同一番号を付して重複する説明は省略する。
本実施形態においては、レンズユニット１Ａ、１Ｂに対応するために二つのＦＰＣコネクタ４Ａ，４Ｂのうちコネクタ４Ａを備えている。図示の例は、後述する配線パターンの接続によりＦＰＣコネクタ４Ａの１ピンから７ピンまでが、ＦＰＣコネクタ４Ｂの４ピンから１０ピンに相当し、ＦＰＣコネクタ４Ａの７，８，９ピンがＦＰＣネクタ４Ｂの３，２，１ピンに相当する場合を示している。
【００２６】
また、太い実線はＦＰＣコネクタ４Ａの外形を、太い破線はＦＰＣコネクタ４Ｂが実装された場合の外形の領域を示す。細い実線で示す６はＰＷＢ２の最上層パターン、一点鎖線で示す７はＰＷＢ２の内層パターンである。大きい丸で示す８はＦＴ用の共用ＦＴパット、小さい丸で示す９はスルーホールを示す。また、二点鎖線で囲まれた領域は、ＦＰＣコネクタ４Ａ，４Ｂの外形の領域、各パターンの引き回し及び共用ＦＴパット８を含む略最小の矩形であり、ＰＷＢ２での必要領域（ＦＰＣコネクタ４Ａ及び４Ｂのいずれかの実装及びＦＴパッドの確保に必要な領域）２ａである。上記最上層パターン６は、ＦＰＣコネクタ４Ａの８ピンをＦＰＣコネクタ４Ｂの３ピンに接続すると共に、ＦＰＣコネクタ４Ａの１〜７ピンをＦＰＣコネクタ４Ｂの４〜１０ピンにそれぞれ接続している。内層パターン７は、ＦＰＣコネクタ４Ａの９，１０ピンをＦＰＣコネクタ４Ｂの２，１ピンにそれぞれ接続している。
【００２７】
本実施形態によれば、レンズユニット１ＡのＦＰＣ３に対応するＦＰＣコネクタ４Ａ及びレンズユニット１ＢのＦＰＣ３に対応するＦＰＣコネクタ４Ｂのどちらでも搭載できるように、ＰＷＢ２に複数のコネクタランドを設けたので、一つのＰＷＢ２で複数のレンズユニット１Ａ，１Ｂに対応することができる。
【００２８】
〔第２の実施形態〕
共通のドライバにて駆動される電子部品は排他的にプリント配線板に実装されるものであるから、複数のコネクタランドのいずれかにＦＰＣコネクタを実装した場合、他のコネクタランドは何も実装されずに空くスペースとなる。よって、任意のＦＰＣコネクタの実装用のスペースの少なくとも一部が他のＦＰＣコネクタの実装用のスペースと重複するようにＰＷＢを形成すれば、ＦＰＣコネクタ実装用のスペースの合計面積（必要領域）を低減できる。
【００２９】
また、ＦＰＣコネクタにフレキシブル基板を接続すると、プリント基板の一部がＦＰＣに覆われることとなるが、その部分は他の電子部品を実装することはできない。しかし、ＦＴはフレキシブル基板を接続する前に行うわけであるから、ＦＴ用ランドはフレキシブル基板に覆われてしまう領域に形成されていても差し支えはない。当然、実装されなかったコネクタ用の実装スペースと重複していても良い。
本実施形態にかかるＰＷＢは、このようにしてコネクタ実装用のスペースを低減したものである。
【００３０】
図６に、本発明を好適に実施した第２の実施形態にかかる撮像装置のＦＰＣコネクタ近傍の構成を示す。図５と対応する部分には同一番号を付して重複する説明は省略する。同図（a）は基板の正面図、（b）は側面図である。
図６において、太い実線で示すＦＰＣコネクタ４Ａの外形と、太い破線で示すＦＰＣコネクタ４Ｂが実装された場合の外形の領域とが、各コネクタ開口部が同一方向になるようにＰＷＢ２上の同一面でオーバーラップして配置されている。これは、実際に撮像装置を製品にする場合、１製品につき１レンズユニットしか使われないという意味でこのようにしている。このように、二つのＦＰＣコネクタ４Ａ，４Ｂは排他的に使用されるので、パターンとしてはコネクタ同士がオーバーラップする位置にレイアウトされていても支障がない。
【００３１】
また、通常、ＦＰＣコネクタの底面が絶縁部材で覆われていることを利用し、基板のＦＰＣコネクタ４Ａの底面部分に、ＦＰＣコネクタ４Ｂを実装する場合の検査用のＦＴパット８Ｂを配置している。また、ＦＰＣコネクタ４Ｂの底面部分に、ＦＰＣコネクタ４Ａを実装する場合の検査用のＦＴパット８Ａを配置している。ＦＴパット８Ａ、８Ｂは、各コネクタの外形の領域のほぼ内側に配置されている。尚、その他の配線パターンの線種等については、ほとんど図５と同じである。
【００３２】
ＰＷＢ２にＦＰＣコネクタ４Ａを実装した場合、ＦＴパッド８ＢはＦＰＣコネクタ４Ａの下に隠れるが、ＦＰＣコネクタ４Ａを実装した場合にはＦＰＣコネクタ４Ｂを実装しないため、ＦＴパッド８Ｂを使用することはない。よって、ＦＴパッド８ＢがＦＰＣコネクタ４Ａの下に隠れてしまっても差し支えない。
一方、ＰＷＢ２にＦＰＣコネクタ４Ｂを実装した場合、ＦＴパッド８ＡはＦＰＣコネクタ４Ｂの下に隠れるが、ＦＰＣコネクタ４Ｂを実装した場合にはＦＰＣコネクタ４Ａを実装しないため、ＦＴパッド８Ａを使用することはない。よって、ＦＴパッド８ＡがＦＰＣコネクタ４Ｂの下に隠れてしまっても差し支えない。
【００３３】
ＦＰＣコネクタ４Ｂのコネクタ開口方向側の領域は、ＦＰＣコネクタ４ＢにＦＰＣ３を接続するとこれによって覆われてしまうために他の電子部品を実装することができない領域である。しかし、ＦＴパッド８Ｂは、ＦＰＣコネクタ４ＢにＦＰＣを接続する前に検査のために用いられ、しかも高さ寸法がゼロである（ＰＷＢ２から突出しない）から、コネクタ開口方向側に設けられていても何ら差し支えない。
【００３４】
本実施形態によれば、図５と比較して二点鎖線で示す必要領域２ａの範囲が小さくなっていることが分かる。換言すると、他のＦＰＣコネクタの外形の領域や、ＦＰＣコネクタのコネクタ開口方向側の領域は、他の電子部品を実装できないスペース（いわゆるデッドスペース）であるから、この領域にＦＴパッドを設ければ、他の電子部品を実装するためのスペースを広げることが可能となる。
【００３５】
なお、ここでは、二つのＦＰＣコネクタの外形の領域の少なくとも一部が重なり合うようにコネクタランドを形成した場合を例としたが、排他的に実装されうる電子部品が三つ以上存在する場合には、それぞれの電子部品に対応するＦＰＣコネクタの外形の領域の少なくとも一部が重なり合うようにコネクタランドを形成しても良いことは言うまでもない。
【００３６】
〔第３の実施形態〕
上記第１及び第２の実施形態においては、ＰＷＢ２の同一面にＦＰＣコネクタ４Ａ及び４Ｂのいずれかが実装されている場合について説明したが、ＦＰＣコネクタ４Ａと４ＢとがＰＷＢ２の異なる面に実装されるようにすることも可能である。
【００３７】
図７に、本発明を好適に実施した第３の実施形態にかかる撮像装置のＦＰＣコネクタ近傍の構成を示す。図５と対応する部分には同一番号を付して重複する説明は省略する。同図（a）は基板の正面図、（b）は側面図である。
図７において、外形を太い実線で示すＦＰＣコネクタ４Ａが実装される面２ｂと、実装された場合の外形の領域を太い破線で示すＦＰＣコネクタ４Ｂが実装される面２ｃとが互いに基板の表裏面の関係に配置され、かつ基板の面をＸ軸、Ｙ軸とする２次元的な位置関係は略同じに配置されている。換言すると、ＦＰＣコネクタ４Ａ用の実装スペースとＦＰＣコネクタ４Ｂ用の実装スペースとは、ＰＷＢ２を対称面として略面対称に配置されている。図６の場合と同様に実際に撮像装置を製品にする場合、２つのコネクタは排他的に使用されること、及びＦＰＣコネクタの底面が絶縁部材で覆われていることを利用して、ＦＰＣコネクタ４Ａの底面部分にＦＰＣコネクタ４Ｂを実装する場合用のＦＴパット８Ｂを配置し、ＦＰＣコネクタ４Ｂの底面部分にＦＰＣコネクタ４Ａを実装する場合用のＦＴパット８Ａを配置している。尚、その他の配線パターンの線種等については、ほとんど図５と同じである。
【００３８】
本実施形態によれば、二点鎖線で示す必要領域２ａの範囲が、表裏合わせた面積では図６とほぼ同じだが、片面あたりではおよそ半分にすることができる。また、複数のレンズユニットに対応していなかった従来の基板に対しても、片面あたりではＦＴパット分だけ小さくすることができる。
【００３９】
〔第４の実施形態〕
図８に、本発明を好適に実施した第４の実施形態にかかる撮像装置のＦＰＣコネクタ近傍の構成を示す。本実施形態においては、ＰＷＢ２にはＦＰＣコネクタ４Ａ、４Ｂ及び４Ｃのいずれか一つが実装される。ＦＰＣコネクタ４Ａ及び４Ｂの実装用のスペースはＰＷＢ２の同一面であり、ＦＰＣコネクタ４Ｃの実装用のスペースは他のＦＰＣコネクタ４Ａ、４Ｂとは反対の面である。なお、構成の理解を容易にするために、図中にはコネクタの外形の領域のみを示し、コネクタランドやＦＴパッド、配線パターンなどを示していない。
【００４０】
太い実線で示すＦＰＣコネクタ４Ａの外形の領域と、実装された場合の外形の領域を太い破線で示すＦＰＣコネクタ４Ｂとが、各コネクタ開口部が同一方向になるようにＰＷＢ２上の同一面でオーバーラップして配置されている。また、外形を太い実線で示すＦＰＣコネクタ４Ａが実装される面２ｂと、実装された場合の外形の領域を細い実線で示すＦＰＣコネクタ４Ｃが実装される面２ｃとが互いに基板の表裏面の関係に配置され、かつ基板の面をＸ軸、Ｙ軸とする２次元的な位置関係は略同じに配置されている。換言すると、ＦＰＣコネクタ４Ａ用の実装スペースとＦＰＣコネクタ４Ｃ用の実装スペースとは、ＰＷＢ２を対称面として略面対称に配置されている。
【００４１】
本実施形態にかかる構成は、上記第２の実施形態にかかる構成と第３の実施形態に係る構成とを合わせたものであるといえる。よって、これらの実施形態と同様に、複数のＦＰＣコネクタのうちから一つを選択して実装できるようにするためにＰＷＢ２に確保する必要のある面積（必要領域）を小さくすることが可能となる。
【００４２】
尚、本発明は、撮像装置（レンズユニットとそれを駆動するための各種ＩＣを搭載した基板を最低限具備したもの）を持つデジタルビデオカメラ、パソコン、携帯電話などに適用することができる。
【図面の簡単な説明】
【００４３】
【図１】同一のドライバにて駆動されうる複数の電子部品で共用可能なプリント配線板の構成を示す図である。
【図２】二つのドライバのそれぞれについて、複数の電子部品で共用可能なプリント配線板の構成を示す図である。
【図３】共通のドライバにて駆動されうる複数のレンズユニットで共用可能なプリント基板の構成を示す図である。
【図４】それぞれが共通のドライバにて駆動されうる複数のレンズユニット及びＣＣＤユニットで共用可能なプリント基板の構成を示す図である。
【図５】本発明の第１の実施形態によるプリント配線基板のＦＰＣコネクタ付近の平面図である。
【図６】本発明の第２の実施形態によるプリント配線基板のＦＰＣコネクタ付近の平面図及び側面図である。
【図７】本発明の第３の実施形態によるプリント配線基板のＦＰＣコネクタ付近の平面図及び側面図である。
【図８】本発明の第４の実施形態によるプリント配線基板のＦＰＣコネクタ付近の平面図及び側面図である。
【符号の説明】
【００４４】
１Ａ、１Ｂ    レンズユニット
２    ＰＷＢ（プリント配線基板）
２ａ    必要領域
２ｂ，２ｃ    プリント配線基板の面
３、１１    ＦＰＣ（フレキシブルプリント配線基板）
４Ａ，４Ｂ、４Ｃ、１２Ａ、１２Ｂ    ＦＰＣコネクタ
６    最上層パターン
７    内層パターン
８    共用ＦＴパット
８Ａ、８Ｂ    ＦＴパット
９    スルーホール
【図１】
2006295115.tif 000003
【図２】
2006295115.tif 000004
【図３】
2006295115.tif 000005
【図４】
2006295115.tif 000006
【図５】
2006295115.tif 000007
【図６】
2006295115.tif 000008
【図７】
2006295115.tif 000009
【図８】
2006295115.tif 000010